(57)【要約】【課題】　データを記録する領域内に欠陥ブロックが存在する場合、データ記録動作が遅れる問題点を解決する。【解決手段】　光ディスクの欠陥領域に記録されなければならないデータをバッファに臨時貯蔵した後、一般データ記録動作終了時またはバッファに臨時貯蔵されたデータが所定のメモリ容量超過時、光ディスクの予備領域内に一括的に代替記録することによって、一般データ記録動作が連続的に速かに実行できるようにすると共に、光ディスク上で頻繁なトラック移動により生じるシステム負荷の増加を效率的に防止して、リアルタイムデータに対しても損失なしにデータを記録できる。【選択図】　図７
2004039228.tif 000002
【特許請求の範囲】
【請求項１】
　光ディスクにデータを記録する主記録動作を実行する第１段階と、
　記録動作のうち光ディスクの欠陥部分が検出されると、前記欠陥領域に記録するとされていたデータをバッファに貯蔵する第２段階と、
　前記バッファに貯蔵されたデータを前記光ディスクの代替記録領域に記録する第３段階と、を含んで構成されることを特徴とする光ディスクへのデータ記録方法。
【請求項２】
　前記第３段階は、前記主記録動作が終わった後実行されることを特徴とする請求項１に記載の光ディスクへのデータ記録方法。
【請求項３】
　前記第３段階は、前記バッファに貯蔵されたデータ量があらかじめ設定された基準を越える場合,
実行されることを特徴とする請求項１に記載の光ディスクへのデータ記録方法。
【請求項４】
　主記録動作を実行する前記第１段階は、欠陥領域ではデータ記録を読み飛ばすことと、前記光ディスクのその次の正常領域から記録動作を再び始めることと、を含むことを特徴とする請求項１に記載の光ディスクへのデータ記録方法
【請求項５】
　光ディスクの欠陥部分が検出される時ごとにバッファに貯蔵されるデータの大きさは、エラー訂正コード（ＥＣＣ）ブロックの一単位と同等であることを特徴とする請求項１に記載の光ディスクへのデータ記録方法。
【請求項６】
　光ディスクの欠陥部分が検出される時、ＤＭＡデータを更新する段階をさらに含んで構成されることを特徴とする請求項１に記載の光ディスクへのデータ記録方法。
【請求項７】
　光ディスクにデータを記録する主記録動作を実行する第１段階と、
　記録動作中に光ディスクの欠陥部分が検出されると、前記欠陥領域に記録するとされていたデータをバッファに貯蔵する第２段階と、
　前記バッファに貯蔵されたデータ量をあらかじめ設定されたメモリ容量と比較する第３段階と、
　前記比較結果によって前記バッファに貯蔵されたデータを前記光ディスクの代替記録領域に記録する第４段階と、を含んで構成されることを特徴とする光ディスクへのデータ記録方法。
【請求項８】
　主記録動作は、欠陥領域ではデータ記録を読み飛ばして、前記光ディスクのその次の正常領域から記録動作を再び始めることを特徴とする請求項７に記載の光ディスクへのデータ記録方法
【請求項９】
　記録動作中に欠陥部分が発見される時、光ディスクの欠陥領域に対する情報をバッファに貯蔵する第１段階と、
　前記バッファに貯蔵された欠陥領域に対する情報を利用して前記欠陥領域に記録されるソースデータを得る第２段階と、
　前記欠陥領域に対する光ディスクの代替記録領域に前記ソースデータを記録する第３段階と、を含んで構成されることを特徴とする光ディスクへのデータ記録方法。
【請求項１０】
　データ記録動作及びデータ読み取り動作のうちいずれか一つを遂行する第１段階と、
　光ディスクの欠陥部分を検出する第２段階と、
　前記光ディスクの欠陥領域に記録されると予定されていたデータをバッファに貯蔵する第３段階と、
　データ記録動作またはデータ読み取り動作が終わった後、前記バッファに貯蔵されたデータを前記光ディスクの予備貯蔵領域に記録する第４段階と、を含んで構成されることを特徴とする光ディスクの予備貯蔵領域へのデータ記録方法。
【請求項１１】
　前記第２段階が実行された後、光ディスクの欠陥領域を識別するためのＤＭＡデータを更新する段階をさらに含んで構成されることを特徴とする請求項１０に記載の光ディスクの予備貯蔵領域へのデータ記録方法。
【請求項１２】
　前記第３段階は、光ディスクの複数の欠陥領域に記録すると予定されていたデータをバッファに貯蔵することを含み、
　前記第４段階は、複数の欠陥領域に記録されると予定され、バッファに貯蔵された前記データを、前記光ディスクの予備貯蔵領域に単一記録動作中に記録することを特徴とする請求項１０に記載の光ディスクの予備貯蔵領域へのデータ記録方法。
【請求項１３】
　前記第１段階は、データ記録動作を遂行することとされ、
　バッファに貯蔵されて光ディスクの予備貯蔵領域に記録されるデータは、光ディスクの欠陥領域に記録するとされていたデータであることを特徴とする請求項１０に記載の光ディスクの予備貯蔵領域へのデータ記録方法。
【請求項１４】
　前記第１段階は、データ読み取り動作を遂行することとされ、
　バッファに貯蔵されて光ディスクの予備貯蔵領域に記録されるデータは、光ディスクの欠陥領域から読み出されるはずだったデータであることを特徴とする請求項１０に記載の光ディスクの予備貯蔵領域へのデータ記録方法。
【請求項１５】
　データ記録動作とデータ読み取り動作のうちいずれか一つを遂行する手段と；
　光ディスクの欠陥部分を検出する手段と；
　前記光ディスクの欠陥領域に記録すると予定されていたデータをバッファに貯蔵する手段と、
　データ記録動作またはデータ読み取り動作が終わった後、前記バッファに貯蔵されたデータを前記光ディスクの予備貯蔵領域に記録する手段と、を含んで構成されることを特徴とする光ディスク装置。
【請求項１６】
　データ記録動作とデータ読み取り動作のうちいずれか一つを遂行する手段は、データ記録動作を遂行する手段であり、
　前記記録手段は、光ディスクの欠陥領域に記録するとされていたデータを光ディスクの予備貯蔵領域に記録するように構成されることを特徴とする請求項１５に記載の光ディスク装置。
【請求項１７】
　データ記録動作とデータ読み取り動作のうちいずれか一つを遂行する手段は、データ読み取り動作を遂行する手段であり、
　前記記録手段は、光ディスクの欠陥領域から読み出されるはずだったデータを光ディスクの予備貯蔵領域に記録するように構成されることを特徴とする請求項１５に記載の光ディスク装置。
【発明の詳細な説明】
【技術分野】
【０００１】
　本発明は、光ディスク装置においてデータを記録する時、光ディスクの欠陥ブロックに代えて正常ブロックを使用して代替記録するために用いられる、光ディスクへのデータ記録方法、光ディスクの予備貯蔵領域へのデータ記録方法及び光ディスク装置に関する。
【背景技術】
【０００２】
　最近、高画質のビデオデータと高音質のオーディオデータを長時間、記録・貯蔵することができるデジタル多機能ディスク〔digital versatile disc-random access memory（以下、ＤＶＤ−ＲＡＭという。）及びdigital versatile disc-rewritable（以下、ＤＶＤ−ＲＷという。）等〕のような再記録可能な光ディスクが開発され、商業化されることが期待されている。
【０００３】
　再記録可能な光ディスク記録及び再生システム（ＤＶＤ−ＲＡＭまたはＤＶＤ−ＲＷ等）では、データの安定した貯蔵と再生のためにＤＶＤ−ＲＡＭまたはＤＶＤ−ＲＷのような光ディスク記録媒体に発生する欠陥に対する対処方法が提案されている（特許文献１参照）。
【０００４】
　まず、光ディスクに発生する欠陥に対する対処方法を説明する。
　前記ＤＶＤ−ＲＡＭディスクには、図１に示したように、リードイン領域（Lea-In Area；以下、適宜、ＬＩＡという。）とデータ領域、そしてリードアウト領域（Lea-Out Area;以下、適宜、ＬＯＡという。）が、区分して割り当てられる。また、前記データ領域の先頭には初期予備領域（Primary  Spare　Area；以下、適宜、ＰＳＡという。）が区分して割り当てられると共に、前記データ領域の後端には二次予備領域（Secondary  Spare　Area；以下、適宜、ＳＳＡという。）が選択的に区分して割り当てられるようになっている。
【０００５】
　一方、外部入力データを記録及び貯蔵できる光ディスク装置は、外部入力データを記録に適した記録信号にエンコーディング及び変調した後、所定の大きさを有するエラー訂正コード（Error Correction Code；以下、適宜、ＥＣＣという。）ブロック単位で光ディスクのデータ領域に記録する。図１に示したように前記データ領域に欠陥領域が存在する場合、その欠陥領域に記録するとされていたデータは予備領域に代替記録される。
　したがって、前記光ディスク装置は、光ディスクのデータ領域に欠陥領域が存在する場合、欠陥領域に代えて予備領域を使う。再生動作遂行時には前記予備領域に代替記録されたデータが読み出され再生される。この結果、データ記録エラー発生を事前に防止できる。
【０００６】
　次に、ＤＶＤ−ＲＡＭシステムに基づいて光ディスクに発生する欠陥に対する処理方法を詳述する。
　ＤＶＤ−ＲＡＭシステムは、欠陥管理領域（Defect　Management　Area；以下、適宜、ＤＭＡという。）を使用することによって、欠陥発生に対処している。４つのＤＭＡはデータ領域に関する構造と欠陥管理に関する情報を含んでいる。ＤＶＤ−ＲＡＭディスクの欠陥管理方法のデータ領域構造、欠陥管理を行うアルゴリズム及びシステムの動作を中心にして、以下に詳述する。
【０００７】
　まず、図２に基づいてディスクのデータ領域構造を詳述する。
　ＤＶＤ−ＲＡＭディスクの場合、情報領域は、リードイン領域、データ領域及びリードアウト領域に分けられる。ここで、データ領域は、ユーザ領域及び予備領域で構成されて、ゾーン０からゾーン３４までの３５個のゾーンの形式に区分される。ユーザ領域にあるセクタは論理セクタ番号（Logical  Sector  Number；以下、適宜、ＬＳＮという。）を利用して順に番号が決められる。一方、予備領域は前記ＰＳＡ及び前記ＳＳＡ２種の形式がある。一番目ゾーン（　０）の先頭にはＰＳＡが割り当てられて、最後のゾーン（　３４）の後にはＳＳＡが割り当てられることもある。
【０００８】
　前記ＤＭＡは、ディスク一面に４個が存在するが、ＤＭＡ１，２の２個のＤＭＡはディスクの内径近くに、ＤＭＡ３，４の２個のＤＭＡはディスクの外径近くに配置されている。４個のＤＭＡの内容は同等とされている。各ＤＭＡの１番目のECCブロックは、ディスク定義構造〔（Disc　Definition　Structure；以下、適宜、ＤＤＳという。）／初期欠陥リスト（Primary  Defect  List；以下、適宜、ＰＤＬという。〕と呼ばれ、１つのＤＤＳ及び１つのＰＤＬを含む。
【０００９】
　ＤＤＳは、ディスクがフォーマットされた後に記録される。そして、ゾーンの数、ＰＳＡの開始と終わりのセクタ番号、ゾーン０からゾーン３４まで各ゾーンの位置を示す最初のＬＳＮなどが記録される。ＰＤＬは、欠陥セクタの番号と、ディスクがフォーマットされる時欠陥が存在すると確認される全ての欠陥セクタのエントリとから構成される。それぞれのエントリには、欠陥セクタに対応するセクタ番号（欠陥セクタの番号、欠陥セクタの位置）が記録される。
【００１０】
　一方、再生したり記録する際に、期間欠陥領域が発見される場合、ＳＤＬには欠陥ＥＣＣブロック一番目セクタに対応するセクタ番号を含むエントリ、これを代替記録する予備ブロックの一番目セクタ位置（セクタ番号）及び欠陥ブロックが代替ブロックに記録されたのか否かを示すリニア代替状態（Status　of　Linear　Replacement；ＳＬＲ）が記録される。それ以外に、ＳＤＬには、ＳＳＡの開始位置（開始セクタ番号）、予備領域に対応する予備ブロックがいっぱい満ちたか（利用可能であるか）を示すフラッグ、ＳＤＬにおけるエントリの番号などが記録される。ここで、ＳＬＲが０である場合は欠陥ブロックが予備ブロックに代替されたことを示し、１である場合は欠陥ブロックが代替されなかったことを示す。
【００１１】
　次に欠陥を管理するアルゴリズムについて述べる。
　欠陥セクタは、スリッピング代替アルゴリズム（Slipping　Replacement  Algorithm；ＳＲＡ）、リニア代替アルゴリズム（Linear　Replacement  Algorithm；ＬＲＡ）、直接ポイント方法（Direct　Pointer  Method；ＤＰＭ）またはブロックスキッピングアルゴリズム（Block  Skipping  Algorithm；ＢＳＡ）により扱われる。
【００１２】
　まず、ＳＲＡについて、図３に基づいて説明する。
　欠陥セクタがＰＤＬ名簿に載ればＳＲＡが全データ領域にわたって適用される。ＰＤＬに登録された一つの欠陥セクタは欠陥セクタの直前部分にある一番目の正常セクタにより代替される。各欠陥セクタはその欠陥セクタの前部分にあるセクタをデータ領域の先頭に向けて滑らせる（スリップさせる）。そのため、ゾーン０のユーザ領域のうち最も前のほうにあるセクタはユーザ領域の前のほうにあるＰＳＡに向かって滑るようになる。図３に上述内容を示す。又、ＬＳＮは、図３に示すように、セクタに対して割当られる。
【００１３】
　次にＬＲＡを図４を参照して説明する。
　ＬＲＡは、フォーマット後に欠陥セクタや損傷されたセクタを取り扱う時用いられる。フォーマットする時にＰＤＬに登録されない欠陥セクタや度を越した反復記録により損傷されたセクタが欠陥セクタとなる。データ代替は、１６セクタ（１ＥＣＣ）単位、すなわちデータブロック単位で行なわれる。
【００１４】
　欠陥ブロックは、まずＰＳＡにある一番目に利用可能な正常予備ブロックに代替される。もしもＰＳＡに予備ブロックがなければ、欠陥ブロックは、割り当てられるとすると、ＳＳＡの一番目に利用可能な正常予備ブロックに代替される。ＰＳＡの一番目に利用可能な予備ブロックは、ＳＤＬに登録された一番目の代替ブロックのすぐ前にある一番目に利用可能な正常ブロックである。したがってＳＤＬに登録された代替ブロックがないならばＰＳＡの一番目に利用可能な正常代替ブロックは、一番目のデータブロックのすぐ前にある一番目に利用可能な正常ブロックになる。
【００１５】
　もしもＳＳＡが割り当てられた場合ＰＳＡが全部消耗されると、一番目に利用可能な正常予備ブロックは、ＳＳＡの最も外側の方にある用いられない正常ブロックになる。予備領域の欠陥セクタ及びこれに対応する代替セクタは、ＰＤＬやＳＤＬに既に登録された場合、予備セクタで用いられない。
　もしもブロックにデータを記録したりブロックからデータを読み込む時、そのブロックがＳＬＲが０である状態でＳＤＬに登録された場合は、該データはＳＤＬが指す予備領域の代替ブロックに記録されたり該代替ブロックから読み込まれる。しかし、データを読み込むブロックがＳＬＲが１である状態でＳＤＬに登録された場合は部分的に訂正されたデータや０で挿入した挿入データが読まれる。
【００１６】
　次にＤＰＭについて詳述する。
　もしもＳＤＬに登録された代替ブロックが損傷されたことが後ほど発見されると、ＳＤＬの登録事項を変えるためにＤＰＭが適用される。この場合、欠陥代替ブロックに登録されたＳＤＬエントリは、代替ブロックの一番目セクタの番号（セクタ位置）を、欠陥代替ブロックのものから新しい代替ブロックのものに変えることによって、修正される。したがって、ＳＤＬに登録された代替ブロックの数は損傷された代替ブロックにより変わらなくてそのまま残っている。
【００１７】
　最後にＢＳＡに対して注意して調べてみる。
　リアルタイムデータ記録や再生のために最小ビットレートを保障しなければならない場合、ＬＲＡによってはリアルタイムデータが代替記録されることができない。言い換えれば、リアルタイムデータはＬＲＡにより代替されたブロックやリアルタイムデータ記録中に発見された欠陥ブロックには記録されない。
【００１８】
　もしもリアルタイムデータがＳＤＬに登録されたブロックに記録されなければならない場合、該データはスキップされたり次に利用可能なデータブロックに記録される。この時、ＳＤＬのＳＬＲはデータが記録されなかった表示で１に変わって、代替ブロックの一番目セクタのセクタ番号（セクタ位置）は元の値が維持される。リアルタイムデータを記録する期間欠陥ブロックが発見された場合にも、該データはスキップされたり次に利用可能なデータブロックに記録される。この時欠陥ブロックはＳＤＬに登録されてＳＬＲは１になる。
【００１９】
　ここで、光ディスクシステムの動作を中心にして欠陥を管理する過程を説明する。システムの動作、すなわちディスクにデータを書いて読む機能と関連してフォーマット、記録及び読み取り動作がある。
　ディスクフォーマットについて、まず説明する。
　ディスクは、使用前にまずフォーマットされなければならない。フォーマットは初期化や再初期化により行なわれる。フォーマット前は記録されたＤＭＡがない。フォーマット過程前にＤＭＡが記録されているならば、そのフォーマット過程は再初期化とみなされる。フォーマット後には４個のＤＭＡが記録される。ＤＤＳ内のすべての媒介変数（パラメータ）がＤＤＳセクタに記録される。
【００２０】
　フォーマット過程でユーザ領域や予備領域で発見された欠陥セクタは、フォーマットが終わった後ＳＲＡ方法により扱われる。したがってＳＲＡ方法により決められたＰＳＡの終わり位置（セクタ番号）と各ゾーンの位置を示す最初のＬＳＮはＤＤＳセクタに記録されて、欠陥セクタの数と各欠陥セクタの位置（セクタ番号）はＰＤＬセクタに記録される。もしも登録される欠陥セクタ数がＰＤＬ受け入れ限界を越える場合、ＰＤＬに登録されることができない欠陥セクタはＳＤＬに登録される。
【００２１】
　次に、データ書き取り動作について説明する。
　データが書かれる時、ＰＤＬに登録された欠陥セクタは、スキップされてデータはＳＲＡ方法により次のセクタに記録される。もしもデータが書かれるブロックが損傷されたことが発見されると、欠陥ブロックはＬＲＡ方法により１番目に利用可能な正常予備ブロックに代替されたりＢＳＡ方法によりスキップされうる。またＳＤＬに登録された欠陥ブロックにデータが書かれなければならない場合、そのブロックもＬＲＡ方法により代替されたりＢＳＡ方法によりスキップされうる。
【００２２】
　最後に、データ読み取り動作について説明する。
　データを読む時ＰＤＬに登録された欠陥セクタは、スキップしてＳＲＡ方法によって次のセクタからデータが読まれる。もしも読み込むデータブロックがＳＤＬに登録されて該ＳＬＲが０である場合、ＬＲＡによってＳＤＬが指す予備領域にある代替ブロックからデータが読み込まれる。しかし、読み込まれるデータブロックがＳＤＬに登録されて該ＳＬＲが１である場合は、部分的に訂正されたデータや０で挿入した挿入データが読み込まれる。もしも読み込まれるブロックが損傷されたが訂正できることが発見されると、欠陥ブロックはＬＲＡ方法によって一番目に利用可能な正常予備ブロックにより代替される。
【特許文献１】特開２０００−７６７８５
【発明の開示】
【発明が解決しようとする課題】
【００２３】
　次に、欠陥を従来のような方法で処理しながらデータを記録する時に発生する問題点について述べる。
　ホストから一定の長さのデータ（例えば１から１０まで１０個のＥＣＣブロックの大きさのデータ）に対する記録要請を受けた記録で、データの中央部分がディスクの欠陥領域に記録されると、エラーが起こることがある。例えばディスクは５番目データブロックに記録されるユーザ領域に欠陥を含むことがある。
【００２４】
　例えば、データを記録しながらディスクの欠陥を確認する方法としてＤＶＤ−ＲＡＭの場合には次のような方法を用いる。記録要請されたデータをすべてディスクに記録した後記録されたデータを再び読む。この時、記録装置は、例えば物理ＩＤ（Physical　ID；ＰＩＤ）のようなものが正常に読まれるかを確認して、正常に読まれると欠陥がないと判断する。すなわち、どんなデータもディスクの欠陥領域に記録されなかったと判断される。しかし、ＰＩＤその他のものが非正常に読まれるとデータが欠陥クタに記録されたと判断する。そして記録可能なディスクが挿入されるとシステムはディスクからＤＭＡデータを読んで保管する。
【００２５】
　この場合、５番目データブロックが記録される欠陥があるブロックの一番目セクタ位置及び代替ブロックの一番目セクタ位置がＤＭＡに記録される。光ピックアップを予備領域にジャンプさせて前記５番目データブロックを代替ブロックに記録する。そして次の記録が要請されたデータを記録するための位置にジャンプする。
　しかし、欠陥データが千期データを記録する領域内で検出されたり、ＳＤＬに登録された欠陥ブロックが存在する場合、その時ごとに一般データ記録動作を一時停止させた状態でピックアップは、予備領域に移動されてそのデータが代替ブロックに記録され、一般データ記録動作が再び遂行される。その結果、データ記録動作が連続的に実施できなくて光ディスク上におけるトラック移動が頻繁に発生してシステム負荷が増加してしたがってデータ記録動作が遅れる問題点が発生する。
【００２６】
　リアルタイムビデオあるいはオーディオデータを記録しようとする時、ピックアップを予備領域に動かすことにより発生する遅延が問題を起こすことがある。すなわち、欠陥ブロックに記録されるデータを予備領域に代替記録するために、ピックアップが予備領域に移されるならば、遅延があまりも大きくなってリアルタイムデータの一部が失われることもある。
　したがって、本発明は前記のような問題点を解決するために創作されたものであって、欠陥ブロックが存在する場合、動作遅延を招くことなくデータ記録動作を実行できる光ディスクへのデータ記録方法、光ディスクの予備貯蔵領域へのデータ記録方法及び光ディスクを提供することを目的とする。
【課題を解決するための手段】
【００２７】
　前記のような目的を達成するための本発明による光ディスクへのデータ記録方法は、光ディスクにデータを記録する主記録動作を実行する第１段階と；記録動作中に光ディスクの欠陥部分が検出されると、前記欠陥領域に記録するとされていたデータをバッファに貯蔵する第２段階；及び前記バッファに貯蔵されたデータを前記光ディスクの代替記録領域に記録する第３段階を含んで構成されることを特徴とする。
　また、本発明による光ディスクへのデータ記録方法は、光ディスクにデータを記録する主記録動作を実行する第１段階と；記録動作中に光ディスクの欠陥部分が検出されると、前記欠陥領域に記録するとされていたデータをバッファに貯蔵する第２段階と；前記バッファに貯蔵されたデータ量をあらかじめ設定されたメモリ容量と比較する第３段階；及び前記比較結果によって前記バッファに貯蔵されたデータを前記光ディスクの代替記録領域に記録する第４段階を含んで構成されることを特徴とする。
　また、本発明による光ディスクへのデータ記録方法は、記録動作中に欠陥部分が発見される時、光ディスクの欠陥領域に対する情報をバッファに貯蔵する第１段階と；前記バッファに貯蔵された欠陥領域に対する情報を利用して前記欠陥領域に貯蔵されるソースデータを得る第２段階；及び前記欠陥領域に対する光ディスクの代替記録領域に前記ソースデータを記録する第３段階を含んで構成されることを特徴とする。
　また、本発明による光ディスクの予備貯蔵領域へのデータ記録方法は、データ記録動作とデータ読み取り動作のうちいずれか一つを遂行する第１段階と；光ディスクの欠陥部分を検出する第２段階と；前記光ディスクの欠陥領域に記録されるデータをバッファに貯蔵する第３段階；及びデータ記録動作またはデータ読み取り動作が終わった後、前記バッファに貯蔵されたデータを前記光ディスクの予備貯蔵領域に記録する第４段階を含んで構成されることを特徴とする。
　また、本発明による光ディスクにデータを記録する装置は、データ記録動作とデータ読み取り動作のうちいずれか一つを遂行する手段と；光ディスクの欠陥部分を検出する手段と；前記光ディスクの欠陥領域に記録されるデータをバッファに貯蔵する手段；及びデータ記録動作またはデータ読み取り動作が終わった後、前記バッファに貯蔵されたデータを前記光ディスクの予備貯蔵領域に記録する手段を含んで構成されることを特徴とする。
【発明の効果】
【００２８】
　本発明によれば、一般データ記録動作が連続的に速かに実行できるようにすると共に、光ディスク上におけるトラック移動が頻繁に発生してシステム負荷が増加するようになることを效率的に防止して、リアルタイムデータに対しても損失なしにデータを記録できる。
【発明を実施するための最良の形態】
【００２９】
　以下、本発明による光ディスク装置における欠陥ブロック代替記録装置と方法に対する望ましい実施の形態を添付された図面を参照しながら詳細に説明する。
　まず、図５は本発明による欠陥ブロック代替記録方法が適用される光ディスク装置に対する構成を概略的に示したものである。例えばビデオディスクレコーダ（Video  Disc  Recorder）のような光ディスク装置には、ＤＶＤ−ＲＡＭ等のような再記録可能な光ディスク１０に信号を記録または再生するための光ピックアップ１１と、前記光ピックアップ１１から読み出される信号を処理したり、または外部から入力されるデータストリームを記録に適する記録信号に変調するＶＤＲシステム１２と、外部から入力されるアナログ信号をエンコーディングして、前記ＶＤＲシステム１２に出力するエンコーダ１３と、を含んで構成される。
　前記ＶＤＲシステム１２では、前述したように、前記ＤＶＤ−ＲＡＭのような光ディスクのデータ領域内に欠陥領域が存在するかを検出できる。さらに、ＶＤＲシステム１２は、その欠陥領域に記録するとされていたデータを前記予備領域に代替記録する。
【００３０】
　図６は、本発明による欠陥ブロック代替記録過程を示したものである。前記ＶＤＲシステム１２では一般データ記録動作を続けて遂行しながら、欠陥領域を発見すれば、その欠陥領域に記録されなければならないエラー訂正コードブロック単位のデータをバッファメモリなどに臨時貯蔵する。その後、一般データ記録動作が終了される場合、そのバッファメモリに臨時貯蔵されたすべてのデータを前記予備領域に一括的に記録貯蔵する。この処理方法について図７を参照しながら説明する。
【００３１】
　図７は、本発明による光ディスク装置における欠陥ブロック代替記録方法に対する動作フローチャートを示したものである。
　前記ＶＤＲシステム１２では、ＤＶＤ−ＲＡＭ等のような再記録可能な光ディスク１０が装置内に挿入される場合、データ記録モードを設定する（Ｓ１０）次に、外部から入力されるデータを記録に適する信号に変調して前記ＤＶＤ−ＲＡＭのデータ領域に記録する一般データ記録動作を遂行する（Ｓ１１）。
【００３２】
　一方、前記ＶＤＲシステム１２では、前記のような一般データ記録動作を遂行すると共に、前記データ領域に欠陥領域が存在するかを検出する（Ｓ１２）。例えば、エラー訂正コードブロック（ＥＣＣブロック）単位で記録されたデータにより反射及び光電変換される電気信号の信号レベルが事前に設定された基準の信号レベルを超過する場合、その電気信号に対応する記録位置が欠陥領域に検出される。また、データ記録動作が終わった後データが記録されたディスクからＰＩＤ又はそのようなデータが正常に読み出されているか否かの判定に基づいて検出することができる。
【００３３】
　そして、上記のような過程を通じて欠陥領域が検出される場合（Ｓ１３）、その欠陥領域に記録するとされていたデータが、前述したように、バッファメモリに臨時貯蔵され（Ｓ１４）、前記一般データ記録動作が続けて遂行される。一方、前記欠陥領域を識別するためのＤＭＡのような欠陥管理情報もこの時点にあらかじめ更新することができる。すなわち、データ記録動作を止めないで続けるために、前記情報もバッファメモリに臨時に貯蔵する。
【００３４】
　以後、ＶＤＲシステム１２では、一般データ記録動作が正常に終了される場合（Ｓ１５）、バッファメモリに臨時貯蔵されたデータを予備領域に代替記録する（Ｓ１６）。
　したがって、光ディスク装置では、光ディスクのデータ領域内に欠陥領域が存在する場合にも、一般データ記録動作を続けて遂行させることができるようになる。また、通常データ記録終了時、光ディスク装置は、欠陥領域を予備領域に変えてバッファメモリに臨時に貯蔵されたすべてのデータを予備領域に一括的に速かに代替記録できるようにする。
【００３５】
　また、本発明による他の実施の形態として、前記ＶＤＲシステムでは、一般データ記録動作が終了される以前に前記バッファメモリに臨時貯蔵されたデータが事前にあらかじめ設定された所定のメモリ容量を超過する場合、データの記録動作を止めて、バッファに貯蔵されたデータを予備領域に優先的に代替記録する。データが予備領域に貯蔵された後、止められたデータ記録動作が再び始められる。
　前記２種の実施の形態は、従来技術で記述したＤＶＤ−ＲＡＭのＤＭＡを利用した欠陥対処方法の場合にも適用することができる。外部入力データを記録する途中で前記データを記録する領域内に欠陥ブロックが発生する場合、欠陥ブロックはＳＤＬに登録され、入力データは予備領域の代替ブロックに記録される前にバッファに臨時に貯蔵される。以後、通常データ記録の終了時点やバッファが満ちた状態になった時点に、ピックアップは、予備領域にジャンプさせられてバッファに集めたデータがＳＤＬに基づく予備領域に一度に記録される。この時ＤＭＡに記録するＳＤＬの値は、各欠陥時点にあらかじめ更新され、前記データ記録の終了時点にディスクに記録される。
【００３６】
　前記２種の実施の形態は、リアルタイムデータを記録する時有用である。前記２種の実施の形態は、従来技術で記述したＤＶＤ−ＲＡＭの欠陥対処方法を参照して説明できる。記録動作を実行中に発見された欠陥ブロックに記録されるリアルタイムデータはバッファに臨時に貯蔵される。この欠陥ブロックを認識するＳＤＬのような欠陥管理情報は、そのときに更新される。前記リアルタイムデータの記録終了後、バッファに臨時貯蔵されたデータをＳＤＬの値によって予備領域の代替ブロックに貯蔵することができる。したがって欠陥ブロックに記録されるリアルタイムデータが破られる問題がある程度防止される。この場合は一般データ記録の場合と同一である。しかし、バッファに臨時貯蔵されたリアルタイムデータが所定のバッファ容量を越える場合、リアルタイムデータ記録動作は適切には遂行され得ない。
【００３７】
　一方、本発明による他の実施の形態として、データ記録動作を遂行する途中ディスクに欠陥領域が検出される場合、その欠陥領域に記録するとされたデータをバッファに貯蔵する代わりに、欠陥領域に関する情報だけを臨時貯蔵する方法も可能である。欠陥領域に関する情報はデータが記録される領域の開始アドレスと終わりアドレスを含む。また前記開始アドレスと終わりアドレスはホストの記録命令により指定されるので、記録動作が終わった後にもホストはソースデータがある位置をさがすことができる。記録処理が終了した後、そのシステムは、ディスクの欠陥領域に記録できなかったソースデータを割り当てるために、バッファに貯蔵されたデータを用いる。したがって前記ソースデータは、そのとき欠陥領域に対する代替記録領域に一括的に記録されることができる。この実施の形態の場合、データを臨時貯蔵するバッファの大きさを減らすことができる。しかし、この実施の形態は、リアルタイムデータの記録時には適用されない。リアルタイムデータが受理されると、一般記録動作が終わった後記録できないデータを復旧する方法がないためである。
【００３８】
　本発明は記録動作だけでなく読み取り動作のうちにディスク欠陥を管理する方法に適用が可能である。データを読み込む間に、欠陥領域を探すためにエラー訂正コードブロックを検証する。もしも欠陥領域が発見されると、欠陥領域は、データ代替のために欠陥領域の住所と代替領域の住所と一緒にＳＤＬに登録される。そして欠陥領域に記録されたデータは、そのときバッファに貯蔵される。他の欠陥領域に記録された他のデータも読み取り動作中にバッファに貯蔵される。読み取り動作が終わった後、バッファに貯蔵されたデータはＳＤＬに基づいて予備領域に移される。
【００３９】
　前記実施の形態で、欠陥領域はエラー訂正コードブロックの大きさである。しかし、欠陥領域はセクタの大きさのように異なるサイズにすることができる。
　以上前述した本発明の望ましい実施の形態は例示の目的のために開示されたものであって、当業者ならば添付された特許請求範囲に開示された本発明の技術的思想とその技術的範囲内で多様な他の実施の形態を改良、変更、代替または付加などが可能である。
【図面の簡単な説明】
【００４０】
【図１】一般的な光ディスク装置における欠陥ブロック代替記録過程を示したものである。
【図２】一般的な光ディスクのデータ領域構造を示したものである。
【図３】ＤＶＤ−ＲＡＭにおいて欠陥を管理する方法としてＳＲＡに関して模式的に示した図である。
【図４】ＤＶＤ−ＲＡＭにおいて欠陥を管理する方法としてＬＲＡに関して模式的に示した図である。
【図５】本発明による欠陥ブロック代替記録方法が適用される光ディスク装置に対する構成を示した図である。
【図６】本発明による欠陥ブロック代替記録過程を示した図である。
【図７】本発明による光ディスク装置における欠陥ブロック代替記録方法に対する動作を示すフローチャートである。
【符号の説明】
【００４１】
　１０：光ディスク
　１１：光ピックアップ
　１２：ＶＤＲシステム
　１３：エンコーダ
【図１】
2004039228.tif 000003
【図２】
2004039228.tif 000004
【図３】
2004039228.tif 000005
【図４】
2004039228.tif 000006
【図５】
2004039228.tif 000007
【図６】
2004039228.tif 000008
【図７】
2004039228.tif 000009